(57)【要約】【課題】  振動パネルの保持強度を大きく低下させることなく、低域音の励振効率の低下を防止し、励振素子の振動を効率よく振動板に伝達したパネル型スピーカ付き表示装置を提供する。【解決手段】  筐体と、該筐体に設ける保持部に保持されている振動パネルと、該振動パネルの周辺部を筐体の保持部に保持させる弾性保持部材と、振動パネルに固着され、振動パネルに撓み振動を励振する励振素子とを備え、筐体の保持部における励振素子の近傍に位置する部分と振動パネルとの保持剛性を、保持部の他に位置する部分と振動パネルとの保持剛性に比較して小さい値に設定することによって、励振素子の振動を効率よく振動板に伝達させたことを特徴とする。【選択図】    図２
2006333021.tif 000002
【特許請求の範囲】
【請求項１】
筐体と、該筐体に設ける保持部に保持されている振動パネルと、該振動パネルの周辺部を前記筐体の保持部に保持させる弾性保持部材と、前記振動パネルに固着され、該振動パネルに撓み振動を励振する励振素子とを備え、前記筐体の保持部における前記励振素子の近傍に位置する部分と前記振動パネルとの保持剛性を、前記保持部の他に位置する部分と振動パネルとの保持剛性に比較して小さい値に設定することによって、前記励振素子の振動を効率よく振動板に伝達させたことを特徴とするパネル型スピーカ付き表示装置。
【請求項２】
前記弾性保持部材は枠状の形状をなし、発泡材などの柔軟材料からなり、その表裏両面に粘着剤または粘着フィルムが付与されていることを特徴とする請求項１に記載のパネル型スピーカ付き表示装置。
【請求項３】
前記弾性保持部材における前記励振素子の近傍に位置する部分の幅が、該弾性保持部材の他に位置する部分の幅に比較して小さい値に設定されていることを特徴とする請求項１または請求項２に記載のパネル型スピーカ付き表示装置。
【請求項４】
前記筐体の保持部における前記励振素子の近傍に位置する部分の厚みが、該保持部の他に位置する部分の厚みに比較して小さい値に設定されていることを特徴とする請求項１から３のいずれか１項に記載のパネル型スピーカ付き表示装置。
【請求項５】
前記振動パネルにおける前記励振素子の近傍に位置する部分の厚みが、該振動パネルの他に位置する部分の厚みに比較して小さい値に設定されていることを特徴とする請求項１から４のいずれか１項に記載のパネル型スピーカ付き表示装置。
【請求項６】
前記筐体の保持部における前記励振素子の近傍に位置する部分の幅が、該保持部の他に位置する部分の幅に比較して小さい値に設定され、前記弾性保持部材との粘着幅が小さい値に設定されていることを特徴とする請求項１から５のいずれか１項に記載のパネル型スピーカ付き表示装置。
【請求項７】
前記振動パネルにおける前記励振素子の近傍に位置する部分の外形形状が前記弾性保持部材における前記励振素子の近傍に位置する部分の外形形状に比較して小さい値に設定され、前記弾性保持部材との粘着幅が小さい値に設定されていることを特徴とする請求項１から６のいずれか１項に記載のパネル型スピーカ付き表示装置。
【請求項８】
前記弾性保持部材における前記励振素子の近傍に位置する部分の前記保持部側に設ける粘着フィルムを前記弾性保持部材の幅方向に延長し、該粘着フィルムの延長部を前記筐体の保持部または保持部に設ける段部に保持してなることを特徴とする請求項１から５のいずれか１項に記載のパネル型スピーカ付き表示装置。
【請求項９】
前記弾性保持部材における前記励振素子の近傍に位置する部分の保持部側に板状弾性保持部材を設け、該板状弾性部材と前記弾性保持部材とを互いに重畳配置し、粘着剤または粘着フィルムで粘着し、前記板状弾性保持部材を前記筐体の保持部に保持してなることを特徴とする請求項１から５のいずれか１項に記載のパネル型スピーカ付き表示装置。
【請求項１０】
前記弾性保持部材と前記板状弾性保持部材とを粘着している粘着フィルムを該板状弾性保持部材の幅方向に延長し、該粘着フィルムの延長部を前記筐体の保持部に設ける段部に保持してなることを特徴とする請求項９に記載のパネル型スピーカ付き表示装置。
【発明の詳細な説明】
【技術分野】
【０００１】
本発明は、パネル型スピーカ付き表示装置に関し、特に低域の音の励振効率に優れたパネル型スピーカ付き表示装置に関する。
【背景技術】
【０００２】
近年、パネル型スピーカは携帯電話機、パソコン、テレビなどの携帯電子機器に搭載されるようになり高性能でしかも小型であることが要求される。このような従来技術におけるパネル型スピーカは、音響電気信号を振動に変換する電磁型、庄電型等の励振素子（エキサイタ）と、その振勤を音に変換する振動板である振動パネルを備えており、この振動パネルが保持部材として発泡材等の柔軟な材料で筐体に振勤可能に取り付けられている。特にアクリル板等の透明性の材料からなる振動パネルを用い、この透明パネルの背面に配置した液晶パネル等の表示を振動パネルを通して見ることで、発音位置と表示位置を一致させたパネル型スピーカ付き表示装置においては、表示装置内にゴミが進入して映像を汚すことを防止するため、振動パネルの全周に亘り枠状形状の弾性保持部材を用いて振動パネルが筐体に取り付けられている。
【０００３】
このような従来技術におけるパネル型スピーカ付き表示装置としてのパネル型スピーカ付き携帯電話機の例が開示されている（例えば、特許文献１参照。）。図１４は従来技術におけるパネル型スピーカ付き携帯電話機の表示部を示す平面図、図１５は図１４におけるＡ−Ａ断面図、図１６は図１４におけるＢ−Ｂ断面図である。図１４に示すように、この携帯電話機の表示部分は、筐体１、液晶パネル２、透光性の振動パネル３および励振素子であるエキサイタ６で構成されるパネル型スピーカ９を備えている。液晶パネル２は図１５に示すように筐体１に固着されており、この液晶パネル２の上方には、パネル型スピーカ９の振動パネル３が配置されている。振動パネル３は、その全周に亘り枠状形状の弾性保持部材４を介して筐体１の内周側に設ける保持部７に保持されている。また図１６に示すように振動パネル３の一部にはエキサイタ６が固着されており振動パネル３に撓み振動が励振されるようになっている。また、パネル型スピーカに搭載されるエキサイタの従来技術として取り扱いのし易さのために箱形ケース構造とし内部の圧電素子を保護する構造とした圧電エキサイタの例が開示されている。（例えば、非特許文献１参照。）。
【０００４】
【特許文献１】特開２００４−３３６４０３号公報（第２頁、図１−２）
【非特許文献１】特願２００３−３６５５０７号公報（第２頁、図１）
【発明の開示】
【発明が解決しようとする課題】
【０００５】
しかしながら、従来技術におけるパネル型スピーカ付き表示装置（携帯電話機）では、表示パネル２とエキサイタ６とが、ともに透明性の振動パネル３の領域内に配置される。このため装置の小型化に伴い振動パネル３の背面は、振動パネル３の中央を含む大部分が、表示パネル２に占有されエキサイタ６は弾性保持部材４に近接した隅に配置せざるを得ない。このため図１６に示すようにエキサイタ６と弾性保持部材４との間隔ａの値が小さい値に設定されることになる。このように電気信号を機械振動に変換するエキサイタ６が、振動パネル３の弾性保持部材４の近傍に配置、保持されると、弾性保持部材４の保持力の影響で、エキサイタ６の振動が振勤パネル３に効率良く伝達されなくなり、特に振幅の大きい低域側の再生帯域の音響出カが小さくなってしまう。この低域音の励振効率の低下はパネル型スピーカ付き表示装置が携帯電話機などのように小型になるにつれて大きな問題となっていた。
【０００６】
（発明の目的）
本発明の目的は、励振素子（エキサイタ）の近傍における筐体と振動パネルとの保持剛性を、その他の部分における筐体と振動パネルとの保持剛性に比較して小さい値に設定し、振動パネルの保持強度を大きく低下させることなく、低域音の励振効率の低下を防止し、励振素子（エキサイタ）の振動を効率よく振動板に伝達したパネル型スピーカ付き表示装置を提供することにある。
【課題を解決するための手段】
【０００７】
上記目的を達成するための本発明のパネル型スピーカ付き表示装置は、筐体と、該筐体に設ける保持部に保持されている振動パネルと、該振動パネルの周辺部を筐体の保持部に保持させる弾性保持部材と、振動パネルに固着され、振動パネルに撓み振動を励振する励振素子とを備え、筐体の保持部における励振素子の近傍に位置する部分と振動パネルとの保持剛性を、保持部の他に位置する部分と振動パネルとの保持剛性に比較して小さい値に設定することによって、励振素子の振動を効率よく振動板に伝達させたことを特徴とする。
【０００８】
また、弾性保持部材は枠状の形状をなし、発泡材などの柔軟材料からなり、その表裏両面に粘着剤または粘着フィルムが付与されていることを特徴とする。
【０００９】
また、弾性保持部材における励振素子の近傍に位置する部分の幅が、該弾性保持部材の他に位置する部分の幅に比較して小さい値に設定されていることを特徴とする。
【００１０】
また、筐体の保持部における励振素子の近傍に位置する部分の厚みが、該保持部の他に位置する部分の厚みに比較して小さい値に設定されていることを特徴とする。
【００１１】
また、振動パネルにおける励振素子の近傍に位置する部分の厚みが、該振動パネルの他に位置する部分の厚みに比較して小さい値に設定されていることを特徴とする。
【００１２】
また、筐体の保持部における励振素子の近傍に位置する部分の幅が、該保持部の他に位置する部分の幅に比較して小さい値に設定され、弾性保持部材との粘着幅が小さい値に設定されていることを特徴とする。
【００１３】
また、振動パネルにおける励振素子の近傍に位置する部分の外形形状が弾性保持部材における励振素子の近傍に位置する部分の外形形状に比較して小さい値に設定され、弾性保持部材との粘着幅が小さい値に設定されていることを特徴とする。
【００１４】
また、弾性保持部材における励振素子の近傍に位置する部分の保持部側に設ける粘着フィルムを弾性保持部材の幅方向に延長し、該粘着フィルムの延長部を筐体の保持部または保持部に設ける段部に保持してなることを特徴とする。
【００１５】
また、弾性保持部材における励振素子の近傍に位置する部分の保持部側に板状弾性保持部材を設け、該板状弾性部材と弾性保持部材とを互いに重畳配置し、粘着剤または粘着フィルムで保持し、前記板状弾性保持部材を前記筐体の保持部に保持してなることを特徴とする。
【００１６】
また、弾性保持部材と板状弾性保持部材とを粘着している粘着フィルムを該板状弾性保持部材の幅方向に延長し、該粘着フィルムの延長部を筐体の保持部に設ける段部に保持してなることを特徴とする。
【発明の効果】
【００１７】
以上のように本発明のパネル型スピーカ付き表示装置は、励振素子（エキサイタ）の近傍における筐体と振動パネルとの保持剛性を、その他の部分における筐体と振動パネルとの保持剛性に比較して小さい値に設定することによって、振動パネルの保持強度を大きく低下させることなく、低域の音の励振効率の低下を防止することができ、励振素子（エキサイタ）の振動を効率よく振動板に伝達させたことができる。この結果、励振素子（エキサイタ）を保持部材近傍に配置することが可能となり、パネル型スピーカ付き表示装置の小型化を実現できると共に低音域の音響特性を維持することができる。
【発明を実施するための最良の形態】
【００１８】
以下、図１から図１３を参照して本発明におけるパネル型スピーカ付き表示装置の好適な実施の形態を詳細に説明する。図１、図２、図３は本発明の実施例１におけるパネル型スピーカ付き表示装置を示す図、図４、図５、図６は実施例２におけるパネル型スピーカ付き表示装置を示す図、図７、図８は実施例３におけるパネル型スピーカ付き表示装置を示す図、図９、図１０は実施例４におけるパネル型スピーカ付き表示装置を示す図、図１１は実施例５におけるパネル型スピーカ付き表示装置を示す図、図１２、図１３は実施例６におけるパネル型スピーカ付き表示装置を示す図である。
【００１９】
本実施形態におけるパネル型スピーカ付き表示装置は、筐体と、筐体に設ける保持部に保持されている振動パネルと、振動パネルの周辺部を筐体の保持部に保持させる弾性保持部材と、振動パネルに固着され、振動パネルに撓み振動を励振する励振素子とを備えている。この筐体の保持部における励振素子（エキサイタ）の近傍に位置する部分と振動パネルとの保持剛性は、保持部の他に位置する部分と振動パネルとの保持剛性に比較して小さい値に設定されている。これによって、振動パネルの保持強度を大きく低下させることなく、低域の音の励振効率の低下を防止し、励振素子の振動を効率よく振動パネルに伝達させることができる。この結果、励振素子を保持部材近傍に配置することが可能となり低音域の音響特性を改善すると共に、携帯電子機器等のパネル型スピーカ付き表示装置の小型化を実現したものである。なお、以下の実施例の説明および図において従来技術と同様の構成要素には同一の番号を付与し重複する説明を省略する。以下、本発明の具体的実施例について図を用いて説明する。
【実施例１】
【００２０】
図１は、本発明の実施例１のパネル型スピーカ付き表示装置としてのパネル型スピーカを搭載した携帯電話機の表示部を示す平面図、図２は、図１におけるＣ−Ｃ断面図、図３は本実施例における弾性保持部材を示す平面図である。図１示すように実施例１における携帯電話機の表示部分は、筐体１、液晶パネル２、透光性の振動パネル３および励振素子であるエキサイタ６を有するパネル型スピーカ１０を備えている。図２に示すように液晶パネル２は筐体１に固着されており、この液晶パネル２の上方には、パネル型スピーカ１０が配置されている。本実施例におけるパネル型スピーカ１０は筐体１の内周側に鍔状に突出して設ける保持部７に保持されている振動パネル３と振動パネル３に固着され、振動パネル３に撓み振動を励振するエキサイタ６と、この振動パネル３の周辺部を筐体１の保持部７に保持させる弾性保持部材１４とを備えており、この振動パネル３は液晶パネル２の一方の側において表示面の外側に延長されており、この延長部分の裏面にエキサイタ６が取付けられている。
【００２１】
弾性保持部材１４は図３に示すように枠状の形状をなし、スポンジなどの発泡性の柔軟性材料からなり、その表裏両面に粘着剤（図示せず）または粘着フィルム（図示せず）が付与されている。この粘着剤によって、振動パネル３と筐体１の保持部７とが弾性保持部材１４を介して粘着、保持されている。また、弾性保持部材１４は、エキサイタ６の近傍に位置する部分である弾性保持部材の辺１４ｂの幅ｂの値が、弾性保持部材１４の他に位置する部分である弾性保持部材の辺１４ａの幅ａの値に比較して小さい値に設定されている。これによって、筐体１の保持部７におけエキサイタ６の近傍に位置する部分７ｂと振動パネル３との保持剛性は、保持部７の他に位置する部分７ａと振動パネル３との保持剛性に比較して小さい値に設定される。
【００２２】
以上のように本実施例におけるパネル型スピーカ付き表示装置は、弾性保持部材１４のエキサイタ６の近傍に位置する辺１４ｂの幅を、他に位置する辺１４ａの幅に比較して小さい値に設定することによって、防塵性を損なわず、かつ振動パネルの保持強度を大きく低下させることなく、低域の音の励振効率の低下を防止し、エキサイタ６の振動を効率よく振動パネル３に伝達させることができる。この結果、低音域の音響特性を維持して、エキサイタを保持部材近傍に配置することが可能となりパネル型スピーカ付き表示装置の小型化が可能となる。
【実施例２】
【００２３】
図４は、本発明の実施例２のパネル型スピーカ付き表示装置としてのパネル型スピーカを搭載した携帯電話機の表示部分を示す断面図、図５は本実施例における筐体の保持部を示す平面図である。実施例２におけるパネル型スピーカ付き携帯電話機の表示部は、弾性保持部材を従来例と同じ形状とし筐体の保持部におけるエキサイタ６の近傍に位置する部分の厚みを他の部分の厚みより薄くしたものであり、その他の基本的な構成は実施例１と同様である。
【００２４】
図４に示すように実施例２における携帯電話機に搭載されているパネル型スピーカ１０は筐体１の内周側に鍔状に突出して設ける保持部１７に保持されている振動パネル３と振動パネル３に固着され、振動パネル３に撓み振動を励振するエキサイタ６とを備え、この振動パネル３の周辺部が筐体１の保持部１７に弾性保持部材４によって保持されている。
【００２５】
本実施例における筐体１の保持部１７は、図４、図５に示すようにエキサイタ６の近傍に位置する部分である辺１７ｂの厚みｄが、保持部１７の他に位置する部分である辺１７ａの厚みｃに比較して小さい値に設定されている。また、本実施例における弾性保持部材４は、従来例と同様の枠状の形状で幅や厚みが全周に亘って同じものを用いる。これによって、筐体１の保持部１７におけエキサイタ６の近傍に位置する辺１７ｂと振動パネル３との保持剛性は、保持部１７の他に位置する辺１７ａと振動パネル３との保持剛性に比較して小さい値に設定される。この結果、低域音の励振効率の低下を防止しエキサイタ６の振動を効率よく振動パネル３に伝達させることができ、実施例１と同様の効果を得ることができる。
【００２６】
なお、本実施例の他の例として、図６に示すように、振動パネル１３におけるエキサイタ６の近傍に位置する部分である辺１３ｂの厚みｆを、振動パネル１３の他に位置する部分である辺１３ａの厚みｅに比較して小さい値に設定しても同様の効果を得ることができる。筐体１の保持部７については従来例と同様の形状で幅や厚みが全周に亘って同じものを用いる。
【実施例３】
【００２７】
図７は、本発明の実施例３のパネル型スピーカ付き表示装置としてのパネル型スピーカを搭載した携帯電話機の表示部を示す断面図である。実施例３におけるパネル型スピーカ付き携帯電話機の表示部は、弾性保持部材を従来例と同じ形状とし筐体の保持部におけるエキサイタの近傍に位置する部分の幅を他の部分の幅を小さくし、弾性保持部材との粘着幅を小さくしたものであり、その他の基本的な構成は実施例１と同様である。
【００２８】
図７に示すように実施例３における携帯電話機に搭載されているパネル型スピーカ１０は筐体１の内周側に鍔状に突出して設ける保持部２７に保持されている振動パネル３と振動パネル３に固着され、振動パネル３に撓み振動を励振するエキサイタ６とを備え、この振動パネル３の周辺部が筐体１の保持部２７に弾性保持部材４によって保持されている。
【００２９】
本実施例における筐体１の保持部２７は、図７に示すように、筐体１の保持部２７におけるエキサイタ６の近傍に位置する部分の辺２７ｂの幅ｈは、保持部２７の他に位置する部分である辺２７ａの幅ｇに比較して小さい値に設定されている。また、本実施例における弾性保持部材４は、従来例と同様の枠状の形状で幅や厚みが全周に亘って同じものを用いる。したがって、筐体１の保持部２７におけるエキサイタ６の近傍に位置する部分の辺２７ｂが弾性保持部材４と粘着される幅ｈは、保持部２７の他に位置する部分である辺２７ａが弾性保持部材４と粘着される幅ｇに比較して小さい値に設定される。これによって、筐体１の保持部２７におけエキサイタ６の近傍に位置する辺２７ｂと振動パネル３との保持剛性は、保持部２７の他に位置する辺２７ａと振動パネル３との保持剛性に比較して小さい値に設定される。この結果、低域音の励振効率の低下を防止し、エキサイタ６の振動を効率よく振動パネル３に伝達させることができ、実施例１と同様の効果を得ることができる。
【００３０】
なお、本実施例の他の例として、図８に示すように振動パネル２３におけるエキサイタ６の近傍に位置する部分である辺２３ｂの外形形状を弾性保持部材４におけるエキサイタ６の近傍に位置する部分の外形形状に比較して小さい値に設定しても良い。これによって、振動パネル２３におけるエキサイタ６の近傍に位置する部分である辺２３ｂと弾性保持部材４とが粘着される幅ｋが、振動パネル２３の他に位置する部分である辺２３ａと弾性保持部材４とが粘着される幅ｊに比較して小さい値に設定され、同様の効果を得ることができる。なお、筐体１の保持部７については従来例と同様の形状で幅や厚みが全周に亘って同じものを用いる。
【実施例４】
【００３１】
図９は、本発明の実施例４のパネル型スピーカ付き表示装置としてのパネル型スピーカを搭載した携帯電話機の表示部を示す断面図である。実施例４におけるパネル型スピーカ付き携帯電話機の表示部は、弾性保持部材におけるエキサイタの近傍に位置する部分と筐体の保持部とを粘着フィルムを用いて粘着保持する構造を採用し、粘着フィルムのエキサイタ６の近傍に位置する部分を弾性保持部材の幅方向に延長し、この延長部と筐体の保持部とを粘着、保持したものである。その他の基本的な構成は実施例１と同様である。
【００３２】
図９に示すように実施例４における携帯電話機に搭載されているパネル型スピーカ１０は、筐体１の内周側に鍔状に突出して設ける保持部３７に保持されている振動パネル３と振動パネル３に固着され、振動パネル３に撓み振動を励振するエキサイタ６とを備え、この振動パネル３の周辺部が筐体１の保持部３７に弾性保持部材２４及び粘着フィルム８の延長部８ａによって保持されている。
【００３３】
本実施例におけるパネル型スピーカ１０は、振動パネル３と弾性保持部材２４とは従来例と同様に粘着剤で保持されており、筐体１の保持部３７と弾性保持部材２４とは粘着フィルム８で粘着されている。弾性保持部材２４におけるエキサイタ６の近傍に位置する部分である辺２４ｂの保持部３７ｂ側に設ける粘着フィルム８を弾性保持部材２４ｂの幅方向に延長し延長部８ａを設ける。本実施例における延長部８ａは、弾性保持部材２４ｂの幅方向の内側に延長されている。一方、筐体１の保持部３７におけるエキサイタ６の近傍に位置する部分である辺３７ｂには、粘着フィルム８の延長部８ａに対応する位置に段部３６が設けられている。この段部３６には振動パネル３側に突出する高部が形成されており、この段部３６と粘着フィルム８の延長部８ａを粘着させる。なお、筐体１の保持部３７における他の部分３７ａは、実施例１と同様であり、弾性保持部材２４ａと粘着フィルム８で粘着されている。
【００３４】
このように、粘着フィルム８の延長部８ａを介して振動パネル３を筐体１に保持することによって、筐体１の保持部３７におけエキサイタ６の近傍に位置する辺３７ｂと振動パネル３との保持剛性は、保持部３７の他に位置する辺３７ａと振動パネル３との保持剛性に比較して小さい値に設定される。この結果、低域音の励振効率の低下を防止し、エキサイタ６の振動を効率よく振動パネル３に伝達させることができ、実施例１と同様の効果を得ることができる。
【００３５】
なお、本実施例の他の例として、図１０に示すように弾性保持部材３４におけるエキサイタ６の近傍に位置する部分である辺３４ｂの保持部４７ｂ側に設ける粘着フィルム８を弾性保持部材３４ｂの幅方向の外側に延長し延長部８ａを設け、この延長部８ａを筐体１の保持部４７のエキサイタ６の近傍に位置する部分である辺４７ｂに粘着させても同様の効果を得ることができる。この場合、弾性保持部材３４の辺３４ｂは、振動パネル３の外形より内側に位置するように配置される。また、筐体１の保持部４７における他の部分４７ａは、実施例４と同様であり、弾性保持部材３４ｂと粘着フィルム８で粘着されている。
【実施例５】
【００３６】
図１１は、本発明の実施例５のパネル型スピーカ付き表示装置としてのパネル型スピーカを搭載した携帯電話機の表示部を示す断面図である。実施例５におけるパネル型スピーカ付き携帯電話機の表示部は、弾性保持部材におけるエキサイタの近傍に位置する部分の保持部側に粘着された板状弾性保持部材を設け、この板状弾性保持部材を筐体の保持部に保持したものである。その他の基本的な構成は実施例１と同様である。
【００３７】
図１１に示すように実施例５における携帯電話機に搭載されているパネル型スピーカ１０は、筐体１の内周側に鍔状に突出して設ける保持部５７に保持されている振動パネル３と振動パネル３に固着され、振動パネル３に撓み振動を励振するエキサイタ６とを備え、この振動パネル３の周辺部が筐体１の保持部５７に弾性保持部材４及び板状弾性保持部材５によって保持されている。
【００３８】
本実施例におけるパネル型スピーカ１０は、振動パネル３と弾性保持部材４とは従来例と同様に粘着剤で保持されている。また、弾性保持部材４におけるエキサイタ６の近傍に位置する部分である辺４ｂの保持部５７側の面に板状弾性保持部材５を設け、この板状弾性部材５の一方の面と弾性保持部材４の辺４ｂとを互いに重なるように配置して粘着フィルム８で粘着する。さらに、板状弾性保持部材５の他方の面を筐体の保持部５７におけるエキサイタ６の近傍に位置する部分の辺５７ｂに粘着剤（図示せず）で粘着する。なお、筐体１の保持部５７における他の部分である辺５７ａは、実施例１と同様であり、弾性保持部材４ａと粘着フィルム８で粘着されている。また、板状弾性保持部材５の材質は、枠状の弾性保持部材４と同様に発泡性材料としたが、適度な弾性を有するものであれば、異なる材質であっても差し支えない。
【００３９】
このように、枠状の弾性保持部材の辺４ｂと板状弾性保持部材５との２種類の弾性保持部材を二重に重ねて配置することによって、筐体１の保持部５７におけエキサイタ６の近傍に位置する辺５７ｂと振動パネル３との保持剛性は、保持部５７の他に位置する辺５７ａと振動パネル３との保持剛性に比較して小さい値に設定される。この結果、低域音の励振効率の低下を防止し、エキサイタ６の振動を効率よく振動パネル３に伝達させることができ、実施例１と同様の効果を得ることができる。
【実施例６】
【００４０】
図１２は、本発明の実施例６のパネル型スピーカ付き表示装置としてのパネル型スピーカを搭載した携帯電話機の表示部を示す断面図である。実施例６におけるパネル型スピーカ付き携帯電話機の表示部は、実施例５における板状弾性部材と弾性保持部材とを粘着させた粘着フィルムを弾性保持部材の幅方向に延長し、この延長部と筐体の保持部に設ける段部と粘着、保持したものである。その他の基本的な構成は実施例５と同様である。
【００４１】
図１２に示すように実施例６における携帯電話機に搭載されているパネル型スピーカ１０は、筐体１の内周側に鍔状に突出して設ける保持部６７に保持されている振動パネル３と振動パネル３に固着され、振動パネル３に撓み振動を励振するエキサイタ６とを備え、この振動パネル３の周辺部が筐体１の保持部６７に弾性保持部材４４、板状弾性部材１５、及び粘着フィルム８によって保持されている。
【００４２】
本実施例におけるパネル型スピーカ１０は、振動パネル３と弾性保持部材４４とが従来例と同様に粘着剤で保持されている。また、弾性保持部材４４におけるエキサイタ６の近傍に位置する部分である辺４４ｂの保持部６７側の面に板状弾性保持部材１５を設け、この板状弾性部材１５の一方の面と弾性保持部材４４の辺４４ｂとを互いに重なるように配置して粘着フィルム８で粘着する。さらに、弾性保持部材の辺４４ｂと板状弾性保持部材１５とを粘着している粘着フィルム８を弾性保持部材の辺４４ｂの幅方向の内側に延長し延長部８ａを設ける。
【００４３】
一方、筐体１の保持部６７におけるエキサイタ６の近傍に位置する部分である辺６７ｂには、粘着フィルム８の延長部８ａに対応する位置に段部５６が設けられている。この段部５６には振動パネル３側に突出する高部が形成されており、この段部５６と粘着フィルム８の延長部８ａを粘着させる。また、板状弾性保持部材１５の他方の面を筐体１の保持部６７におけるエキサイタ６の近傍に位置する部分の辺６７ｂに粘着剤（図示せず）で粘着する。なお、筐体１の保持部６７における他の部分である辺６７ａは、実施例５と同様であり、弾性保持部材の他の部分である辺４４ａと粘着フィルム８で粘着されている。
【００４４】
このように、枠状の弾性保持部材の辺４４ｂと板状弾性保持部材１５との２種類の弾性保持部材を二重に重ねて配置すると共に、粘着フィルム８の延長部８ａを保持部の辺６７ｂの段部５６に粘着させることによって、筐体１の保持部６７におけエキサイタ６の近傍に位置する辺６７ｂと振動パネル３との保持剛性は、保持部６７の他に位置する辺６７ａと振動パネル３との保持剛性に比較して小さい値に設定される。この結果、低域音の励振効率の低下を防止し、エキサイタ６の振動を効率よく振動パネル３に伝達させることができ、実施例１と同様の効果を得ることができる。
【００４５】
なお、本実施例の他の例として、図１３に示すように弾性保持部材５４におけるエキサイタ６の近傍に位置する部分である辺５４ｂの保持部７７側に設ける粘着フィルム８を弾性保持部材の辺３４ｂの幅方向の外側に延長し延長部８ａを設け、この延長部８ａを筐体１の保持部７７のエキサイタ６の近傍に位置する部分である辺７７ｂに設ける段部７６に粘着させても同様の効果を得ることができる。この場合、弾性保持部材５４の辺５４ｂは、振動パネル３の外形より内側に位置するように配置される。また、筐体１の保持部７７における他の部分である辺７７ａは、実施例６と同様であり、弾性保持部材５４ａと粘着フィルム８で粘着されている。
【００４６】
以上のように、本発明におけるパネル型スピーカ付き表示装置は、振動パネルが筐体の内側に形成されている保持部の全周に亘って枠状の弾性保持部材を介して保持されているため筐体内部へのゴミの侵入がない。また、振動パネルの保持強度を大きく低下させることなく、エキサイタ近傍の振動パネルの保持剛性を低くすることでエキサイタの振動を効率よく振動板に伝達できるため、振動パネルの音圧を高くすることでき、優れた音響特性を維持してエキサイタを筐体の保持部の近傍に配置することが可能となる。これによって、音響特性とパネル型スピーカ付き表示装置の小型化を両立させることができる。
【００４７】
なお、各実施例においては圧電型のエキサイタを使用する例で説明したが、これに限定されるものではなく電磁型等の他のエキサイタを用いる場合にも同様の効果を得ることができる。
また、粘着剤を用いた例で説明した部分に粘着フィルムを用いることが出来ることはいうまでもない。
【００４８】
また、各実施例においてはパネル型スピーカ付き表示装置として携帯電話機を例として説明したが、これに限定されるものではなく、ＰＤＡ、ゲーム機器等の情報端末機、パソコン、テレビ等の映像端末、オーディオ、ビデオ等の映像機器、その他の音声機器においても同様の効果を得ることができる。
【図面の簡単な説明】
【００４９】
【図１】本発明の実施例１におけるパネル型スピーカ付き表示装置を示す平面図である。
【図２】図１におけるＣ−Ｃ断面図である。
【図３】本発明の実施例１における弾性保持部材を示す平面図である。
【図４】本発明の実施例２におけるパネル型スピーカ付き表示装置示す断面図である。
【図５】本発明の実施例２における筐体の保持部を示す平面図である。
【図６】本発明の実施例２におけるパネル型スピーカ付き表示装置の他の例を示す断面図である。
【図７】本発明の実施例３におけるパネル型スピーカ付き表示装置を示す断面図である。
【図８】本発明の実施例３におけるパネル型スピーカ付き表示装置の他の例を示す断面図である。
【図９】本発明の実施例４におけるパネル型スピーカ付き表示装置示す断面図である。
【図１０】本発明の実施例４におけるパネル型スピーカ付き表示装置の他の例を示す断面図である。
【図１１】本発明の実施例５におけるパネル型スピーカ付き表示装置示す断面図である。
【図１２】本発明の実施例６におけるパネル型スピーカ付き表示装置を示す断面図である。
【図１３】本発明の実施例６におけるパネル型スピーカ付き表示装置の他の例を示す断面図である。
【図１４】従来技術におけるパネル型スピーカ付き表示装置付き携帯電話機の表示部を示す平面図である。
【図１５】図１４におけるＡ−Ａ断面図である。
【図１６】図１４におけるＢ−Ｂ断面図である。
【符号の説明】
【００５０】
１  筐体
２  液晶パネル
３  振動パネル
４、１４、２４、３４、４４、５４  枠状の弾性保持部材
４ａ、１４ａ、２４ａ、３４ａ、４４ａ、５４ａ  枠状の弾性保持部材の他の辺
４ｂ、１４ｂ、２４ｂ、３４ｂ、４４ｂ、５４ｂ  枠状の弾性保持部材の辺
５、１５  板状弾性保持部材
６  エキサイタ（励振素子）
７、１７、２７、３７、４７、５７、６７、７７  保持部  
７ａ、１７ａ、２７ａ、３７ａ、４７ａ、５７ａ、６７ａ、７７ａ  保持部の他の辺
７ｂ、１７ｂ、２７ｂ、３７ｂ、４７ｂ、５７ｂ、６７ｂ、７７ｂ  保持部の辺
８  粘着フィルム
８ａ、８ｂ  延長部
９、１０  パネル型スピーカ
１３、２３  振動パネル
１３ａ、２３ａ  振動パネルの他の辺
１３ｂ、２３ｂ  振動パネルのエキサイタの近傍に位置する辺
３６、５６  段部
【図１】
2006333021.tif 000003
【図２】
2006333021.tif 000004
【図３】
2006333021.tif 000005
【図４】
2006333021.tif 000006
【図５】
2006333021.tif 000007
【図６】
2006333021.tif 000008
【図７】
2006333021.tif 000009
【図８】
2006333021.tif 000010
【図９】
2006333021.tif 000011
【図１０】
2006333021.tif 000012
【図１１】
2006333021.tif 000013
【図１２】
2006333021.tif 000014
【図１３】
2006333021.tif 000015
【図１４】
2006333021.tif 000016
【図１５】
2006333021.tif 000017
【図１６】
2006333021.tif 000018